(57)【要約】      （修正有）【課題】イブニングドレスで、電車やバス、街を歩くにしては豪華過ぎて歩けない。和服では、着るのに手間がかかる。誰でも、何処でも着れる和装ドレスを提供する。【解決手段】イブニングドレス１１のスカ−ト部分をきもの風に仕立て、薄手のスカ−トの柄が見える透かし織りの重ねスカート１４を穿く和風イブニングドレスであり、重ねスカ−トを脱ぎ、上着２１に取外し可能花飾り１３（取外し時ボタン）、そのボタンをはめ込み和風イブニングドレスと一体感をもたせ、更に、帯３１本体にお太鼓を通し、ホックで留め、固定帯締の先の結び紐を結び、ホックの位置に、お太鼓の中心あわせ、帯全体を背中中心迄ずらせば、和風イブニングドレスと上着、帯、を着付けることにより簡単に和服姿となり、又、簡単に和風イブニングドレス姿になれる、和装、洋装を兼ね備えた。【選択図】図１
2006161258.tif 000002
【特許請求の範囲】
【請求項１】
イブニングドレスのスカ−ト部分をきもの風で仕立て、上着を着ることにより、きもの姿になり、しかも帯を締めることにより、完全に和装姿に成り、洋装、和装を兼ねることを特徴とする和風ドレス。
【請求項２】
和風イブニングドレスのスカ−ト部分をきもの風に仕立てスカ−ト裾まわし部分は裏地を兼ねた比翼を縫い付け、裾まわし部分を表地より３ｍｍから５ｍｍ程度出して仕立てすることによって腰から下部は完全に和装になることを特徴とする請求項１記載の和風ドレス。
【請求項３】
上着は、襟裏、袖口、ふり部分に裏地を兼ねた比翼を縫い付け、表地より３ｍｍから５ｍｍ程度出し、襟裏は肩山上部から１００ｍｍ程度、中に芯を入れた半襟を縫い付け２００ｍｍ程度は縫い込まず両襟の内側で抱き合わせ、上着下部にボタン受け口をもうけ、和風イブニングドレスのボタンをはめ込み和風イブニングドレスと一体になることを特徴とする請求項１記載の和風ドレス。
【請求項４】
帯の両端部にホックを３段階設け、お太鼓の身体側に板を帯の中に固定し、お太鼓身体側と帯ホック位置内側３０ｍｍから５０ｍｍ程に横ズレ縦ズレ防止ゴムを取付け、更に、お太鼓内のポケットに帯枕を入れ、固定帯締を先の結び紐部分迄縫い付けることにより誰でも着崩れすることなく簡単に着れることを特徴とする請求項１記載の和装ドレス。
【発明の詳細な説明】
【技術分野】
【０００１】  この発明は、イブニングドレス及び和装、和装小物等に関する。
【背景技術】
【０００２】  従来のイブニングドレスは、床丈の胸、背中、腕などあらわにしたもので豪華でお洒落なよそおいである。
【発明の開示】
【発明が解決しようとする課題】
【０００３】  しかしながら、近年、若者達で結婚式や二次会・パ−ティ等でかなり見かけるようになってきたにも拘わらず、電車やバス、街を歩くにしても豪華過ぎて、着て歩く姿をほとんど見掛けることがない、又、和服姿は見かけるが、着るのにも手間がかかり、人の手をかりることが多く、時間がかかる、誰でも、何処でも着れる和装ドレスを提供する事を課題とする。
【課題を解決するための手段】
【０００４】  以上の課題を解決するために、イブニングドレス１１のスカ−ト部分をきもの風に仕立て、薄手のスカ−トの柄が見える透かし織りの重ねスカ−ト１４を穿く、和風イブニングドレス１１であり、薄手の下柄が見える透かし織りの重ねスカ−ト１４を脱ぎ、上着２１を着て、帯３１を締めることにより完全に和装姿となる和装、洋装を兼ね備えることを特徴とする和装ドレス。【０００５】  又に、上着２１の襟裏、袖口、ふり部分に比翼を縫い付け、ふきを３ｍｍ〜５ｍｍ程度出して仕立て、襟裏は肩山上部から、中に芯を入れた半襟を１００ｍｍ縫い付け２００ｍｍ程度は縫い込まず両襟の内側で抱き合わせ、上着２１のボタン受け口に、取外し可能花飾りを取外し（取外し時ボタン）、そのボタンをはめ込み和風イブニングドレス１１と一体感をもたせることを特徴とする上着２１である。【０００６】  更に、帯３１本体にお太鼓を通し、ホックで留め、固定帯締の先の結び紐を結び、ホックの位置に、お太鼓の中心あわせ、帯全体を背中中心迄ずらせば、和風イブニングドレス１１と上着２１、帯３１、を着付けることにより完全に和装となることを特徴とした和装ドレスである。
【発明の効果】
【０００７】  請求項１、によれば、和風イブニングドレス１１と上着２１と帯３１を組み合わせることによって、完全に和服になり、近年若者で結婚式や二次会、パ−ティ等でかなりドレスが普及しているにも拘わらず電車やバス、街を歩くにしても豪華過ぎて着て歩く姿をほとんど見掛けることが無かったが、和服姿になることで、何処でも着れる、しかも簡単に和服姿になり、又、簡単に和風イブニングドレス１１姿になれる、洋装、和装を兼ねた和装ドレスを提供出来る。【０００８】  図７に示す、上着２１を年代に応じて色柄や長い袖、短い袖といった多種多様性に富んだ着こなしができる。
【発明を実施するための最良の形態】
【０００９】  この発明の一実施形態を、図１に示す。
和風イブニングドレス１１の生地は絹又は、ホリエステル繊維で、無地の物と柄物があり柄物はプリント柄で和風イブニングドレス１１のスカ−ト部分、上着２１袖部分にプリントされ、多種類の型で柄を多種類に組み替え、多種類の色に替えオリジナル性をもたせる。【００１０】  和風イブニングドレス１１のスカ−ト部分をきもの風に仕立てスカ−ト裾まわし部分は裏地を兼ねた比翼を縫い付け、裾まわし部分を表地より３ｍｍから５ｍｍ程度出して仕立てする。【００１１】  和風イブニングドレス１１、ウエスト部分の取外し可能、花飾り１３（取外し時ボタン）を付け、ウエスト部分から下部は上着２１と共生地で仕立てる。【００１２】  上着２１は、襟裏、袖口、ふり部分に裏地を兼ねた比翼を縫い付け、表地より３ｍｍから５ｍｍ程度出し、襟裏は肩山上部から１００ｍｍ程度、中に芯を入れた半襟を縫い付け２００ｍｍ程度は縫い込まず両襟の内側で抱き合わせ、上着２１下部にボタン受け口をもうけ、和風イブニングドレス１１のボタンをはめ込み和風イブニングドレス１１と一体感をもたせる。【００１３】  帯３１の両端部にホックを３段階設け、お太鼓の身体側に板を帯の中に固定し、お太鼓身体側と帯ホック位置内側３０ｍｍから５０ｍｍ程に横ズレ縦ズレ防止ゴムを取付け、更に、お太鼓内のポケットに帯枕を入れ、固定帯締を先の結び紐部分迄縫い付ける。
【実施形態の効果】
【００１４】  この発明の一実施形態を、図１に示す。
和風イブニングドレス１１のスカ−ト部分をきもの風に仕立てスカート裾まわし部分は裏地を兼ねた比翼を縫い付け、裾まわし部分を表地より３ｍｍから５ｍｍ程度出して仕立てすることによって、和風イブニングドレス１１としても重厚感があり又、ウエスト部分から下部は上着２１と共生地であるため和服姿になる。
【００１５】  和風イブニングドレス１１、ウエスト部分の取外し可能、花飾り１３を取外しボタンを付けることにより、和風イブニングドレス１１着用時は華やかに、又、上着２１を着用時は和服としての一体感がある。
【００１６】  和風イブニングドレス１１の生地は絹又は、ポリエステル繊維で化学繊維は近年和服用途に好適な化学繊維が作られ、上着２１着用時も軽くて着心地が良く本来の和装姿が損なわれない。
【００１７】  帯３１の両端部にホックを３段階設け、お太鼓の身体側に板を帯の中に固定し、お太鼓身体側と帯ホック位置内側３０ｍｍから５０ｍｍ程に横ズレ縦ズレ防止ゴムを取り付け更に、お太鼓内のポケットに帯枕を入れ、固定帯締を先の結び紐部分迄縫い付けることにより、誰が着ても着崩れしない着こなしができる。
【００１８】  和風イブニングドレス１１を着用し上着２１のボタンを留め着用し帯３１のホックを留、帯締の先の紐を結び、お太鼓を背中中心迄ずらし、帯揚げを帯枕ごと帯本体前面迄巻きつけ結ぶだけの作業で、今迄にない簡単な作業で着付けができる。
【他の実施形態】
【００１９】  図７の実施形態では、上着２１を着替えることで年代に応じて色柄や長い袖、短い袖の物と多様性のある着こなしが出来る。
【図面の簡単な説明】
【００２０】
【図１】この発明の請求項１記載の実例を示す図である。
【図２】この発明の洋装時の重ねスカ−ト正面図である。
【図３】この発明の請求項２記載の上着正面図である。
【図４】この発明の請求項４記載の実例を示す図である。
【図５】この発明の請求項４記載の実例を示す図である。
【図６】この発明の和装時の実例を示す側面図である。
【図７】この発明の請求項３記載の実例を示す正面図である。
【符号の説明】
【００２１】    １１  和風イブニングドレス
１２  比翼
１３  取り外し可能、花飾り（取外し時ボタン）
１４  重ねスカ−ト
２１  和装上着
２２  比翼
２３  ボタン受け口
２４  縫付襦袢襟
３１  袋帯
３２  縫付帯締
３３  帯締結ぶ紐
３４  ホック
３５  滑り止めゴム
３６  帯枕
３７  帯枕を入れる袋
３８  後ろ帯板
３９  帯揚げ
【図１】
2006161258.tif 000003
【図２】
2006161258.tif 000004
【図３】
2006161258.tif 000005
【図４】
2006161258.tif 000006
【図５】
2006161258.tif 000007
【図６】
2006161258.tif 000008
【図７】
2006161258.tif 000009